(57)【特許請求の範囲】
【請求項１】
傾斜した状態の柱状部材を、地面に配された牽引手段によって牽引して引き起こす際に使用される引き起こし作業用器具であって、
前記柱状部材に巻き掛けられた固定ワイヤの一端側が係止される係止部と、前記固定ワイヤの他端側が遊挿状態で挿通されるワイヤ挿通溝とを有する器具本体と、
牽引ワイヤを介して前記牽引手段が接続され、前記牽引ワイヤを介して前記牽引手段によって牽引されることで、前記固定ワイヤを前記ワイヤ挿通溝の壁面に押圧して前記器具本体に固定する固定手段とを具備することを特徴とする引き起こし作業用器具。
【請求項２】
請求項１に記載の引き起こし作業用器具において、
前記固定手段は、前記牽引手段による牽引が解除されることで、前記固定ワイヤの、前記器具本体の前記ワイヤ挿通溝の壁面への押圧状態を解放することを特徴とする引き起こし作業用器具。
【請求項３】
請求項１又は２に記載の引き起こし作業用器具において、
前記器具本体は、前記柱状部材に当接する当接部を有し、この当接部の表面が、前記柱状部材の表面形状に沿って形成されていることを特徴とする引き起こし作業用器具。
【請求項４】
請求項１〜３の何れか一項に記載の引き起こし作業用器具を用いた引き起こし方法であって、
傾斜した柱状部材に固定ワイヤを巻き掛けた状態で前記固定ワイヤの一端側を前記器具本体の前記係止部に係止するとともに前記固定ワイヤの他端側を前記器具本体の前記ワイヤ挿通溝に挿通させ、挿通させた前記固定ワイヤを牽引して前記器具本体を前記柱状部材に密着させ、前記器具本体を前記柱状部材に密着させた状態で前記牽引ワイヤを介して前記固定手段に接続された前記牽引手段で前記柱状部材を牽引することで前記柱状部材を引き起こすことを特徴とする引き起こし作業用器具を用いた引き起こし方法。
【発明の詳細な説明】
【技術分野】
【０００１】
本発明は、傾斜した樹木、偏心木、電柱の引き起こし作業用器具及びそれを用いた引き起こし方法に関する。
【背景技術】
【０００２】
一般に、傾斜した樹木を伐採するときは、まず樹木を引き起こして、ある程度傾斜を直してから伐採を行っている。この際、台付けワイヤと呼ばれる両端部に輪を有する固定・牽引用のワイヤを、引き起こしたい樹木に取り付け、その後、台付けワイヤを牽引機械で牽引することで、傾斜した樹木を引き起こしている。牽引機械には例えば、チルホールなどの機械が使用されている。
【０００３】
ここで、引き起こしたい樹木が背の低い樹木である場合には、地上から台付けワイヤを取り付けることができるので、特に問題は無かった。しかし、引き起こしたい樹木が背の高い樹木である場合は、梯子や昇柱機を用いて樹木に登って台付けワイヤを取り付けなければならず、作業者が転落してしまう危険性があった。
【０００４】
なお、樹木に登ることなく、かぎ状のフック材とそれに続く倒木用ロープとを樹木に取り付ける倒木用ロープ取り付け具が提案されている（例えば、特許文献１参照）。
【０００５】
【特許文献１】特開２００６−２０５２８号公報
【発明の開示】
【発明が解決しようとする課題】
【０００６】
特許文献１に記載の倒木用ロープ取り付け具は、背の高い樹木に登らなくても倒木用ロープを取り付けることができるものの、傾斜した樹木の引き起こし作業に使用すると、フック材が樹木からはずれてしまい、安定して引き起こし作業を行うことができない虞がある。
【０００７】
なお、こうした引き起こし作業は、傾斜した樹木に対してだけではなく、豪雪で倒れた樹木が倒れかかることで傾斜した電柱、車両等が衝突することで折れた電柱及び土砂崩れ等によって傾斜した電柱等に対しても行われる場合がある。
【０００８】
本発明はこのような事情に鑑みて発明されたものであり、背の高い柱状部材であっても登ることなく、引き起こしている最中に柱状部材から外れることがなく、安定して引き起こし作業を行うことができる引き起こし作業用器具と、その引き起こし作業用器具を用いた傾斜した柱状部材の引き起こし方法を提供することを課題とする。
【課題を解決するための手段】
【０００９】
上記課題を解決する本発明の第１の態様は、傾斜した状態の柱状部材を、地面に配された牽引手段によって牽引して引き起こす際に使用される引き起こし作業用器具であって、前記柱状部材に巻き掛けられた固定ワイヤの一端側が係止される係止部と、前記固定ワイヤの他端側が遊挿状態で挿通されるワイヤ挿通溝とを有する器具本体と、牽引ワイヤを介して前記牽引手段が接続され、前記牽引ワイヤを介して前記牽引手段によって牽引されることで、前記固定ワイヤを前記ワイヤ挿通溝の壁面に押圧して前記器具本体に固定する固定手段とを具備することを特徴とする引き起こし作業用器具にある。
【００１０】
かかる第１の態様では、背の高い柱状部材であっても、登らずに引き起こし作業を行うことができる。それだけでなく、固定手段が牽引手段で牽引されている間は、固定ワイヤと引き起こし作業用器具とで柱状部材が挟持され続ける。したがって、柱状部材が多少揺動したとしても外れてしまうことが無く、安定して引き起こすことができる。
【００１１】
本発明の第２の態様は、第１の態様の引き起こし作業用器具において、前記固定手段は、前記牽引手段による牽引が解除されることで、前記固定ワイヤの、前記器具本体の前記ワイヤ挿通溝の壁面への押圧状態を解放することを特徴とする引き起こし作業用器具にある。
【００１２】
かかる第２の態様では、牽引手段の牽引力を解放すれば、柱状部材から容易に外すことができる。
【００１３】
本発明の第３の態様は、第１又は２の態様の引き起こし作業用器具において、前記器具本体は、前記柱状部材に当接する当接部を有し、この当接部の表面が、前記柱状部材の表面形状に沿って形成されていることを特徴とする引き起こし作業用器具にある。
【００１４】
かかる第３の態様では、当接部の多くの部分が柱状部材に当接するので、柱状部材を安定して把持することができる。
【００１５】
本発明の第４の態様は、第１〜３の何れか一つの態様の引き起こし作業用器具を用いた引き起こし方法であって、傾斜した柱状部材に固定ワイヤを巻き掛けた状態で前記固定ワイヤの一端側を前記器具本体の前記係止部に係止すると共に前記固定ワイヤの他端側を前記器具本体の前記ワイヤ挿通溝に挿通させ、挿通させた前記固定ワイヤを牽引して前記器具本体を前記柱状部材に密着させ、前記器具本体を前記柱状部材に密着させた状態で前記牽引ワイヤを介して前記固定手段に接続された前記牽引手段で前記柱状部材を牽引することで前記柱状部材を引き起こすことを特徴とする引き起こし作業用器具を用いた引き起こし方法にある。
【００１６】
かかる第４の態様では、背の高い柱状部材であっても登ることなく引き起こすことができる。それだけでなく、固定手段が牽引手段で牽引されている間は、固定ワイヤと本態様の引き起こし作業用器具とで柱状部材が挟持され続ける。したがって、柱状部材が多少揺動したとしてもはずれてしまうことが無く、安定して引き起こすことができる。
【発明の効果】
【００１７】
以上説明したように、本発明の引き起こし作業用器具及びそれを用いた引き起こし方法によれば、背の高い柱状部材であっても、登らずに引き起こし作業を行うことができる。それだけでなく、本発明の引き起こし作業用器具及びそれを用いた引き起こし方法によれば、固定手段が牽引手段で牽引されている間は、固定ワイヤと本発明の引き起こし作業用器具とで柱状部材が挟持され続ける。したがって、柱状部材が多少揺動したとしても外れてしまうことが無く、安定して引き起こすことができる。
【発明を実施するための最良の形態】
【００１８】
以下に、本発明の実施の形態を図面に基づき詳細に説明する。
【００１９】
（実施形態１）
図１は、第１の実施形態に係る引き起こし作業用器具の概略図である。また、図２は、第１の実施形態に係る引き起こし作業用器具のワイヤ挿通溝及びワイヤ固定装置の外観斜視図である。また、図３は、第１の実施形態に係る引き起こし作業用器具の、レバーを牽引された時のワイヤ固定装置の様子を示した平面図である。
【００２０】
これらの図に示すように、本実施形態に係る引き起こし作業用器具１００は、半月状の器具本体１０と、固定ワイヤ２０を器具本体１０に押圧固定するワイヤ固定装置３０とで構成されている。なお、固定ワイヤ２０とは、樹木２００に巻き掛けて、本実施形態に係る引き起こし作業用器具１００の器具本体１０と共に、樹木２００を固定するワイヤのことを言う。
【００２１】
また、器具本体１０の一方の端面は、樹木２００の外周部分に当接する当接部１０ａとなっている。この当接部１０ａは、引き起こす樹木２００の表面形状に沿った円弧状になっている。なお、この当接部１０ａの円弧の半径は、引き起こしたい樹木の半径以上になっているのが好ましく、引き起こしたい樹木の半径と同一であるとさらに好ましい。これにより、樹木表面に当接する部分が多くなり、樹木を安定して把持することができる。しかし実際には、樹木はそれぞれ径が違うため、１つ１つの樹木に合わせて作成するのは困難である。したがって、当接部１０ａの円弧の半径は、汎用性を考えて、引き起こしたい樹木の半径より大きな半径で、適宜決定されればよい。
【００２２】
また、器具本体１０の当接部１０ａの端部には、樹木２００に巻き掛けられた固定ワイヤ２０の一端側が係止される半輪状の係止部１０ｂが設けられている。
【００２３】
また、器具本体１０は、所定の厚さの本体部１０ｃと、器具本体１０の係止部１０ｂとは反対側の端部に設けられ、器具本体１０の本体部１０ｃよりも肉厚な肉厚部１０ｄとを有している。そして、図２に示すように、肉厚部１０ｄの端面には、固定ワイヤ２０が挿通されるワイヤ挿通溝１１が形成されている。また器具本体１０のワイヤ挿通溝１１に隣接した部分には、固定ワイヤ２０をワイヤ挿通溝１１の底面部分に押圧して固定するワイヤ固定装置３０が配されている。
【００２４】
ここで、本実施形態に係る引き起こし作業用器具１００のワイヤ固定装置３０は、電線を一時的に把持する工具である、いわゆるカムラーと同様の構造を有している。
【００２５】
すなわち、ワイヤ固定装置３０は、回動するカム３１と、固定ワイヤ２０を器具本体１０の肉厚部１０ｄの端面に押圧する押圧部材３２と、外部から牽引力を受けるレバー３３とを有している。なおワイヤ固定装置３０は、押圧部材３２が、ワイヤ挿通溝１１の底面部分、つまり肉厚部１０ｄの端面に対向するように配されている。
【００２６】
カム３１は、への字型をした部材であって、一方側の突出した部分が係止ピン３４ａで器具本体１０に回動可能に係止されている。また、押圧部材３２は、肉厚な扇型をした部材であって、いわゆる扇の要に相当する部分が、カム３１のへの字型の頂点部分にボルト３５によって固定されている。また、レバー３３は、両端部が丸くなった矩形の部材であって、一方側の端部が、カム３１の他方側の突出した部分に係止ピン３４ｂで係止されている。また、レバー３３の他方側の端部には、レバー３３を厚さ方向に貫通する孔３３ａが設けられており、図１に示すように、牽引ワイヤ４０が係止される。なお、牽引ワイヤ４０とは、樹木を牽引して引き起こすためのワイヤのことを言う。また、牽引ワイヤ４０は、図示しないが、地面に配された牽引装置に接続されており、牽引装置によって牽引される。
【００２７】
このように構成されたワイヤ固定装置３０のレバー３３が、牽引ワイヤ４０を介して牽引装置で牽引されると、係止ピン３４ｂでレバー３３に接続されたカム３１が、係止ピン３４ａを支点に回動する。このカム３１の回動に伴って押圧部材３２も回動する。この一連のワイヤ固定装置３０の各部材の動作により、図３に示すように、ワイヤ挿通溝１１内にある固定ワイヤ２０は、ワイヤ挿通溝１１の底面部分、つまり器具本体１０の肉厚部１０ｄの端面に押圧されて固定される。
【００２８】
ここで、器具本体１０は、ワイヤ固定装置３０の肉厚部１０ｄとは反対側の領域に、肉厚部１０ｄと同一の厚さであり、レバー３３の軌道を制限する制動部１０ｅが配されている。これにより、ワイヤ固定装置３０のレバー３３は、固定ワイヤ２０から離れる方向に牽引されても制動部１０ｅに当たり、当たった部分を中心に回転する。したがって、ワイヤ固定装置３０は、レバー３３が固定ワイヤ２０から離れる方向に牽引される場合でも、上記で説明したように、カム３１及び押圧部材３２が回動し、固定ワイヤ２０は、ワイヤ挿通溝１１の底面部分、つまり肉厚部１０ｄの端面に、押圧されて固定される。
【００２９】
また、器具本体１０は、肉厚部１０ｄの表面部分、すなわちワイヤ挿通溝１１の側面から、器具本体１０の本体部１０ｃの表面に沿って制動部１０ｅまで延設された平板状の逃げ防止部１０ｆが配されている。つまり、固定ワイヤ２０とワイヤ固定装置３０は、図３に示すように、器具本体１０の本体部１０ｃと、逃げ防止部１０ｆとの間に配される。これにより、ワイヤ固定装置３０で固定ワイヤ２０が押圧される方向に対して交差する方向には、器具本体１０の本体部１０ｃと、逃げ防止部１０ｆとがあり、押圧される際に固定ワイヤ２０が逃げてしまうことが、確実に防止される。したがって、ワイヤ固定装置３０のレバー３３が牽引されると、ワイヤ挿通溝１１内の固定ワイヤ２０は、ワイヤ挿通溝１１の底面部分、つまり肉厚部１０ｄの端面に、確実に押圧されて固定される。
【００３０】
以下より、上で説明した本実施形態に係る引き起こし作業用器具を使用して、傾斜した樹木２００を引き起こす方法を、図を参照しながら詳細に説明する。
【００３１】
図４〜６は、本実施形態に係る引き起こし作業用器具を用いた、傾斜した樹木の引き起こし作業の方法を示した模式図である。また、図示しないが地面には樹木２００を引き起こす牽引力を発生させる牽引装置が配されている。なお、牽引装置としては、例えばチルホール等を用いればよい。
【００３２】
まず、図４に示すように、本実施形態に係る引き起こし作業用器具１００の器具本体１０の係止部１０ｂに、固定ワイヤ２０の一端側を係止する。次に、本実施形態に係る引き起こし作業用器具のワイヤ固定装置３０のレバー３３の孔３３ａに、牽引装置に繋がった牽引ワイヤ４０を接続する。次に、固定ワイヤ２０の他端側を、樹木２００に回し掛ける。ここで、固定ワイヤ２０は、枝のない幹の部分に回し掛けるとずり落ちてしまうので、枝の付け根部分に引っかかるように回し掛ける。
【００３３】
なお、引き起こす樹木２００が背の高い樹木である場合には、先端に把持装置が付いた棒を使用して、固定ワイヤ２０を把持しながら、所望する場所に固定ワイヤ２０を持っていき、回し掛ければよい。なお、このとき、本実施形態に係る引き起こし作業用器具１００は、地面に置いておけばよい。
【００３４】
次に、図５に示すように、回し掛けた固定ワイヤ２０を、本実施形態に係る引き起こし作業用器具１００の器具本体１０のワイヤ挿通溝１１に挿通させ、挿通させた固定ワイヤ２０を牽引する。これにより、本実施形態に係る引き起こし作業用器具１００が、樹木２００の、固定ワイヤ２０を回し掛けた部分に近づいていく。固定ワイヤ２０の牽引は、器具本体１０の当接部１０ａが樹木２００に密着し、樹木２００が十分に締め付けられるまで行う。
【００３５】
なお、本実施形態に係る引き起こし作業用器具１００は、樹木２００に当接する当接部１０ａが円弧状になっているので、固定ワイヤ２０を牽引すると、固定ワイヤ２０と器具本体１０の当接部１０ａとで、樹木２００はしっかりと挟持される。
【００３６】
最後に、図６に示すように、本実施形態に係る引き起こし作業用器具１００のワイヤ固定装置３０のレバー３３を、牽引ワイヤ４０を介して地上に配された図示しない牽引装置で牽引する。これにより、上述したように、ワイヤ固定装置３０によって、ワイヤ挿通溝１１内の固定ワイヤ２０が、器具本体１０の肉厚部１０ｄの端面に押圧固定され、固定ワイヤ２０が樹木２００に密着したままの状態で固定される。この固定ワイヤ２０の押圧固定は、ワイヤ固定装置３０が牽引装置に牽引されている間は、解放されることはない。したがって、固定ワイヤ２０の牽引を中止しても構わない。あとは、このまま牽引ワイヤ４０を介して牽引装置で樹木２００を牽引することで、固定ワイヤ２０と本実施形態に係る引き起こし作業用器具１００の当接部１０ａとで挟持された状態が保たれたまま、樹木２００を引き起こすことができる。
【００３７】
以上説明したように、本実施形態に係る引き起こし作業用器具１００によれば、地上にいながら傾斜した樹木の引き起こし作業を行うことができる。これにより、作業者の転落の心配がなく、作業の安全性を大幅に向上させることができる。さらに、傾斜した樹木の引き起こしにかかる作業時間を大幅に減少させることができるとともに、作業者の疲労も軽減することができる。
【００３８】
また、本実施形態に係る引き起こし作業用器具１００によれば、背の高い樹木であっても、先端に把持装置が付いた棒を使用して固定ワイヤ２０を把持しながら所望する場所に固定ワイヤ２０を持って行って回し掛けることで、樹木に登ることなく、同様に引き起こし作業を行うことができる。
【００３９】
また、本実施形態に係る引き起こし作業用器具１００によれば、牽引装置で樹木を牽引している間は、ワイヤ固定装置３０によって固定ワイヤ２０が器具本体１０の肉厚部１０ｄに押圧されて固定され続ける。これにより、引き起こし作業中に樹木が多少揺動したとしても固定ワイヤ２０が緩んでしまうことがなく、安定して樹木を引き起こすことができる。
【００４０】
本実施形態に係る引き起こし作業用器具１００は、上述したように構成されているが、これに限定されるものではない。
【００４１】
上述した実施形態では、器具本体１０が半月状の形状をしているが、特に限定されるものではなく、例えば長方形状でも構わない。
【００４２】
また上述した実施形態では、引き起こし作業用器具１００の当接部１０ａは、滑らかな円弧状になっているが、例えば当接部１０ａをノコギリ状にして樹木の表面に噛ませられるようにしてもよい。また当接部１０ａに硬質ゴムなどを用いてもよい。これにより、より確実に樹木を把持することができる。
【００４３】
また、上述した実施形態ではワイヤ固定装置３０は１つであるが、２つ以上設けても構わない。
【００４４】
また、図４〜６を用いて本実施形態に係る引き起こし作業用器具１００を使用した引き起こし方法を示したが、本実施形態に係る引き起こし作業用器具１００を使用した引き起こし方法はこれに限定されるものではない。
【００４５】
（実施形態２）
図７は、本発明の第２の実施形態に係る引き起こし作業用器具の概略図である。なお、第１の実施形態に係る引き起こし作業用器具と同一の部材には同一符号を付し、重複する説明は省略する。
【００４６】
この図に示すように、本実施形態に係る引き起こし作業用器具１００Ａには、係止部１０ｂにベルト状のスリング５０が係止されており、スリング５０に固定ワイヤ２０が係止されている。なお、このスリング５０は、固定ワイヤ２０の径に比べて幅方向が広くなっているベルト状の部材であって、例えば、ナイロンや金属製のメッシュ等からなる。これにより図７に示すように樹木２００は、スリング５０と当接部１０ａとで挟持されるようになり、固定ワイヤ２０で樹木を挟持する場合よりも安定して樹木を挟持することができる。
【００４７】
また、器具本体１０の肉厚部１０ｄ側には、取り外しワイヤ６０が係止される半輪状の係止部１０ｇが設けられており、当該係止部１０ｇに取り外しワイヤ６０が係止されている。なお、取り外しワイヤ６０とは、引き起こし作業用器具１００Ａの取り外しに用いるワイヤのことを言う。
【００４８】
ここで、樹木２００から引き起こし作業用器具１００Ａを取り外す際に、ワイヤ挿通溝１１に固定ワイヤ２０が引っかかってしまうなどして、樹木２００から引き起こし作業用器具１００Ａが取り外しにくくなってしまう可能性がある。
【００４９】
本実施形態に係る引き起こし作業用器具１００Ａでは、樹木２００の引き起こし作業が終了した段階で、固定ワイヤ２０及び牽引ワイヤ４０の牽引を中止し、地上から取り外しワイヤ６０を牽引することで、地上にいながらにして容易且つ確実に引き起こし作業用器具１００Ａを樹木２００から取り外すことができる。
【００５０】
ここで、引き起こし作業用器具１００Ａを樹木２００に取り付ける過程で小枝や他の木等が邪魔になった場合、固定ワイヤ２０の牽引する角度を変えるなどしてこの小枝や他の木等をかわす必要がある。
【００５１】
本実施形態に係る引き起こし作業用器具１００Ａでは、取り外しワイヤ６０を牽引することにより固定ワイヤ２０を緩ませることができる。したがって、容易に小枝や他の木等の障害物をかわすことができる。
【００５２】
以上のように本発明に係る引き起こし作業用器具について説明したが、本発明はこれに限定されるものではない。例えば、上述した実施形態では、傾斜した樹木を引き起こす例を示したが、傾斜した電柱に対しても、登るための足場が形成された電柱の胴部に固定ワイヤ２０を巻き掛けることによって、樹木の場合と同様に、地上にいながら安定して引き起こすことができる。
【図面の簡単な説明】
【００５３】
【図１】本発明の第１の実施形態に係る引き起こし作業用器具の概略図である。
【図２】本発明の第１の実施形態に係る引き起こし作業用器具の外観斜視図である。
【図３】本発明の第１の実施形態に係る引き起こし作業用器具の平面図である。
【図４】本発明の第１の実施形態に係る引き起こし作業用器具を用いた引き起こし作業の方法を示した模式図である。
【図５】本発明の第１の実施形態に係る引き起こし作業用器具を用いた引き起こし作業の方法を示した模式図である。
【図６】本発明の第１の実施形態に係る引き起こし作業用器具を用いた引き起こし作業の方法を示した模式図である。
【図７】本発明の第２の実施形態に係る引き起こし作業用器具の概略図である。
【符号の説明】
【００５４】
１０  器具本体
１０ａ  当接部
１０ｂ  係止部
１０ｃ  本体部
１０ｄ  肉厚部
１０ｅ  制動部
１０ｆ  逃げ防止部
１０ｇ  係止部
１１  ワイヤ挿通溝
２０  固定ワイヤ
３０  ワイヤ固定装置
３１  カム
３２  押圧部材
３３  レバー
３３ａ  孔
３４ａ  係止ピン
３４ｂ  係止ピン
３５  ボルト
４０  牽引ワイヤ
５０  スリング
６０  取り外しワイヤ
１００  引き起こし作業用器具
１００Ａ  引き起こし作業用器具
２００  樹木
【図１】
0004753919.tif 000002
【図２】
0004753919.tif 000003
【図３】
0004753919.tif 000004
【図４】
0004753919.tif 000005
【図５】
0004753919.tif 000006
【図６】
0004753919.tif 000007
【図７】
0004753919.tif 000008